(57)【要約】【課題】組み立てを容易にしたころ軸受を提供する。【解決手段】本発明に係るころ軸受は、内輪と外輪と保持器と複数のころを有し、前記保持器は軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１箇所のポケットを構成する両側の柱の軸方向中央部の内周面側に凸部を設けたことを特徴とする。【選択図】図１
2012092935.tif 000002
【特許請求の範囲】
【請求項１】
内輪と外輪と保持器と複数のころを有し、前記保持器は軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１箇所のポケットを構成する両側の柱の軸方向中央部の内周面側に凸部を設けたことを特徴とするころ軸受。
【請求項２】
ころ軸受において、前記ポケットを構成する両側の柱の外周面側に２箇所の凸部を設けたことを特徴とする請求項１のころ軸受。
【請求項３】
ころ軸受において、前記内周面側の凸部の軸方向の長さが、前記外周面側の凸部の軸方向の長さよりも長いことを特徴とする請求項１または２のころ軸受。
【請求項４】
ころ軸受において、隣合う少なくとも２つの前記ポケットの柱側の両側面に、前記内周面側の凸部を設けることを特徴とする請求項１〜３のころ軸受。
【発明の詳細な説明】
【技術分野】
【０００１】
本発明は、ころ軸受に関する。
【背景技術】
【０００２】
従来から各種回転機械装置の回転支持部に、転がり軸受が組み込まれている。大きな荷重が加わる回転支持部を構成する為の転がり軸受としては、転動体としてころ（例えば円筒ころ、円すいころ）を使用した保持器付ころ軸受が使用されている。図７は、この様な保持器付ころ軸受の１例として、例えばスクリューコンプレッサーのロータ支持部に組み込む、保持器付円筒ころ軸受１を示している。この保持器付円筒ころ軸受１は、内周面の軸方向中間部に円筒面状の外輪軌道２を有する外輪３と、外周面の軸方向中間部に円筒面状の内輪軌道４を有する内輪５と、これら外輪軌道２と内輪軌道４との間に軸受用保持器６により保持した状態で転動自在に設けられた、複数の円筒ころ７とから成る。
【０００３】
図８（Ａ）の上部の図は、図７の軸受用保持器をＡ方向から見た断面図である。上記軸受用保持器６は、図８（Ｂ）に示す様に、所謂籠型保持器と呼ばれるもので、軸方向に間隔をあけて互いに同心に配置された、それぞれが円環状である１対のリム６１、６１と、これら両リム６１、６１
同士の間に掛け渡された複数本の柱６２、６２とから成る。そして、これら両リム６１、６１の内側面と円周方向に隣り合う柱６２ 、６２の円周方向側面とにより四周を囲まれた部分を、それぞれポケット６３、６３としている。ポケット６３，６３間の各柱６２の側面は、円筒ころ７の外径面に沿った円筒面状に形成し、円筒ころ７がポケット６３の開口から落ちないようにしてある。したがって、ポケット６３のころ入口となる開口部の幅寸法Ｃは、円筒ころ７の外径寸法Ｄよりも小さくなっている。組立に際して、円筒ころ７は、白矢印で示すように、軸受用保持器６の内径側からポケット６３内に押し込み、軸受用保持器６の樹脂の持つ弾性で柱６２を撓ませて円筒ころ７の進入を可能とする。
【０００４】
このように、円筒ころ７を押し込んでポケット６３内に入れるため、開口部の幅寸法Ｃと、ころ外径Ｄの寸法差が大きくなると、円筒ころ７が軸受用保持器６に入り難い。なお、開口幅寸法Ｃを大きくすると、円筒ころ７は入り易くなる。しかし、軸受の組立時に円筒ころ７がポケット６３から落下し易くなる。特に、スクリューコンプレッサーのロータ支持部に、ころ軸受１を組み込む場合、外輪３と内輪５を別々に組み込む場合もあり、円筒ころ７の落下する状況が発生し易いので、開口幅寸法Ｃを大きくすることは好ましくない。
【０００５】
この部分の改善の先行技術としては、例えば特許文献１がある。これは、図９に示した様に、各ポケット６３間の柱６４の軸方向の中央付近に、断面を他の部分よりも小さくした幅狭部６４ａを設けることにより、柱６４を撓ませ易くしているものである。
【先行技術文献】
【特許文献】
【０００６】
【特許文献１】特開平８−２９６６５２号公報
【発明の概要】
【発明が解決しようとする課題】
【０００７】
しかしながら、各ポケット６３間の柱６４の軸方向の中央付近は、溶融樹脂が合流するウエルドに成り易く、前記ウエルドのある部分は強度が低いことが多いので、特許文献１に記載のころ軸受の様に、各ポケット６３間の柱６４の軸方向の中央付近に、断面を他の部分よりも小さくした幅狭部６４ａを設けると、柱６４の強度の面で改善の余地がある。
【０００８】
本発明は、前述した課題に鑑みてなされたものであり、その目的は、柱の組み立てを容易にした保持器を有するころ軸受を提供することにある。
【課題を解決するための手段】
【０００９】
前記課題を解決するため、本発明は次のような構成からなる。すなわち、本発明に係るころ軸受は、内輪と外輪と保持器と複数のころを有し、前記保持器は軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１箇所のポケットを構成する両側の柱の軸方向中央部の内周面側に凸部を設けたことを特徴とする。また、本発明に係るころ軸受は、前記ポケットを構成する両側の柱の外周面側に２箇所の凸部を設けたことを特徴とする。また、本発明に係るころ軸受は、前記内周面側の凸部の軸方向の長さが、前記外周面側の凸部の軸方向の長さよりも長いことが好ましい。また、本発明に係るころ軸受は、隣合う少なくとも２つの前記ポケットの柱側の両側面に、前記内周面側の凸部を設けることが好ましい。
【発明の効果】
【００１０】
本発明によれば、前記複数柱の内、少なくとも１箇所のポケットを構成する両側の柱の軸方向中央部の内周面側に凸部を設けたので、ころを保持器に挿入する際、ころが前記凸部に接触する部分が軸方向中央部に近くなり、柱が周方向に傾く角度も小さくなるので、当該柱に隣接するポケットに、ころを組み立て易くなる。
【図面の簡単な説明】
【００１１】
【図１】本発明の第1実施形態に係るころ軸受の断面図
【図２】本発明のころ軸受の保持器の部分斜視図
【図３】本発明のころ軸受のころ押し込み過程を示す部分断面図
【図４】本発明のころ軸受の保持器のころ押し込み過程を示す部分平面図
【図５】従来のころ軸受の保持器のころ押し込み過程を示す部分平面図
【図６】本発明の第２実施形態に係るころ軸受の断面図
【図７】従来のころ軸受の断面図
【図８】（Ａ）従来のころ軸受用保持器のころ押し込み過程を示す部分断面図、（Ｂ）は同保持器の部分平面図
【図９】従来のころ軸受の保持器の部分平面図
【図１０】従来のころ軸受の保持器の部分斜視図
【図１１】従来のころ軸受の保持器の斜視図
【発明を実施するための形態】
【００１２】
以下、本発明に係るころ軸受１の各実施形態について図面を参照して説明する。
＜第１実施形態＞
図１に示すように、本実施形態のころ軸受１は、外輪３と内輪５ところ７（円筒ころ）と保持器６Aを有する円筒ころ軸受である。前記保持器６Aは、例えば樹脂からなる。樹脂材料としては、６６ナイロンを用いることが出来るが、高温強度や耐熱性に優れる４６ナイロンを用いることが好ましい。また、例えば、スクリューコンプレッサーのロータ支持部の様に、耐摩耗性や耐油性や耐熱性が求められる用途においては、耐摩耗性や耐油性や耐熱性に優れた直鎖型ポリフェニレンサルファイドを用いることがより好ましい。また、本発明に係る保持器付きころ軸受用の保持器６Aは、例えば図２に示すように、軸方向に間隔をあけて互いに同心に配置された、それぞれが円環状である１対のリム６１、６１と、これら両リム同士の間に掛け渡された複数本の柱６７から成る。また、これら両リムの内側面と円周方向に隣り合う柱の円周方向側面とにより四周を囲まれた部分を、ポケット６３としている。図１０と図１１は、従来のころ軸受の保持器の部分斜視図と斜視図である。図１０では、柱６５のポケットに面した柱の内周面側に２箇所の凸部６６Ａ、６６Aを設けてあり、外周面側に２箇所の凸部６６Ｂ、６６Ｂを設けている。それに対して、本実施形態の図２では、前記柱６７の手前のポケットに面した面の軸方向の中央部の内周面側に１箇所の凸部６８Ａを設けており、外周面側に２箇所の凸部６８Ｂ、６８Ｂを設けている。また、図３の様に、前記凸部６８Ａと前記凸部６８Ｂに、ポケットを隔てて円周方向に対向する面の、内周面側には前記同様の１箇所の凸部６８Ａを設け、外周面側には２箇所の凸部６８Ｂ、６８Ｂを設けている。前記２箇所の凸部６８Ａと４箇所の凸部６８Ｂは、ころ７の外周面に沿った円筒面状に形成され、ころがポケット６３の円周方向の開口から落ち難いようにしてある。すなわち、ポケット６３のころ入口となる開口部の幅寸法Ｃ１は、ころの外径寸法Ｄよりも小さくなっている。
【００１３】
図５は、従来のころ軸受の保持器に、ころを内周面側から押し込む過程を示す部分平面図であり、図４は、本実施形態のころ軸受の保持器に、ころを内周面側から押し込む過程を示す部分平面図である。図５では、ころ７を保持器の内周面側から押し込む際、ころ７は、内周面側の凸部６６Ａのリム６１に近い部分６６Ａ１に接触する為、柱６５は、周方向に大きく傾くので、大きな力が必要となる。それに対して、本実施形態の図４では、ころ７を保持器の内周面側から押し込む際、ころ７が前記内周面側の凸部に接触するリムに近い部分６８Ａ１が軸方向中央部に近くなっている。このため、柱が周方向に傾く角度は小さくなり、柱が周方向に変形する量も小さくなる。従って、小さな力でころ７を押し込むことが可能となるので、当該柱に隣接するポケットに、ころを組み立て易くなる。この様な効果を得る為には図２において、凸部６８Ａの軸方向の端面６８Ａ２は、凸部６８Ｂの軸方向のリムに近い端面６８Ｂ１よりも、軸方向の中央部に近い方が好ましい。
【００１４】
＜第２実施形態＞
図６の第２実施形態において、内周面側の凸部６９Ａの軸方向の長さＬ１を長くする。これによって、内周面側の支持部（凸部）を１箇所にしたことによる保持器内周面側のころのモーメント支持剛性の低下が軽減され、ころのスキューの発生を抑制出来る。明確な設計基準としては、内周面側の凸部６９Ａの軸方向の長さＬ１を外周面側の凸部６９Ｂの軸方向の長さＬ２よりも長くすることが好ましい。また、凸部６９Ａの軸方向の端面は、凸部６９Ｂの軸方向のリムに近い端面より、軸方向の中央に近いので、上述した第１実施形態と同様、ころの組み立て易さも併せ持つことが可能である。
【００１５】
なお、第１・第２の実施形態として、１箇所のポケットを構成する両側の柱の軸方向中央部の内周面側に１箇所の凸部を設け、外周面側に２箇所の凸部を設けた実施例を説明したが、本発明に係るころ軸受は、隣り合う少なくとも２つのポケットを構成する柱の内周面側に前記凸部を設けることも出来るし、全てのポケットを構成する柱の内周面側に前記凸部を設けることも出来る。
また、上述の実施形態は本発明の一例を示したものであって、本発明はこれらの実施形態に限定されるものではない。本発明の主旨を外れない限り、他の実施形態にも適用出来る。
【符号の説明】
【００１６】
１        ころ軸受
２        外輪軌道
３        外輪
３Ａ      外輪鍔部
４        内輪軌道
５        内輪
６        保持器
６Ａ      保持器
７        ころ
６１      リム
６２      柱
６３      ポケット
６４      柱
６４ａ    幅狭部
６５      柱
６６      凸部
６６Ａ    内周面側の凸部
６６Ａ１  内周面側の凸部のリムに近い部分
６６Ｂ    外周面側の凸部
６７      柱
６８Ａ    内周面側の凸部
６８Ａ１  内周面側の凸部のリムに近い部分
６８Ａ２  内周面側凸部の軸方向の端面
６８Ｂ    外周面側の凸部
６８Ｂ１  外周面側凸部の軸方向のリムに近い端面
６９Ａ    内周面側の凸部
６９Ｂ    外周面側の凸部
【図１】
2012092935.tif 000003
【図２】
2012092935.tif 000004
【図３】
2012092935.tif 000005
【図４】
2012092935.tif 000006
【図５】
2012092935.tif 000007
【図６】
2012092935.tif 000008
【図７】
2012092935.tif 000009
【図８】
2012092935.tif 000010
【図９】
2012092935.tif 000011
【図１０】
2012092935.tif 000012
【図１１】
2012092935.tif 000013